(57)【要約】【課題】歯面に対する汚れ除去効果を低下させることなく、歯間部の刷掃効率や歯間部への到達感を向上させることができると共に、外観形状によって刷掃効率や到達感を向上させるイメージを容易に想起させことのできる歯ブラシを提供する。【解決手段】複数本のブリッスル１１からなるタフト１２ａ，１２ｂが植毛台１４に複数植設された歯ブラシ１０において、植毛台１４の植毛面の周縁部分に植毛される周縁タフト１２ａが、鋭角部１７を有する三日月形の断面形状を備え、この鋭角部１７を外側に向けて植毛されている。三日月形の断面形状の周縁タフト１２ａは、植毛台１２の植毛面の側部及び先端部の全体に植毛され、周縁タフト１２ａの外側を連ねた側面が、鋭角部１７に植毛されたブリッスル１１を凸部とする凹凸面となっている。【選択図】　　　　図１
2004041403.tif 000002
【特許請求の範囲】
【請求項１】
複数本のブリッスルからなるタフトが植毛台に複数植設された歯ブラシにおいて、
植毛台の植毛面の周縁部分に植毛されるタフトが、鋭角部を有する横断面形状を備え、該鋭角部を外側に向けて植毛されている歯ブラシ。
【請求項２】
前記鋭角部を有する横断面形状のタフトが、前記植毛台の植毛面の少なくとも側部の周縁部分に植毛されている請求項１又は２に記載の歯ブラシ。
【発明の詳細な説明】
【０００１】
【発明の属する技術分野】
本発明は、複数本のブリッスルからなるタフトが植毛台に複数植設された歯ブラシに関する。
【０００２】
【従来の技術及び発明が解決しようとする課題】
歯ブラシは、ブリッスルを束ねて構成されるタフトを、植毛台に設けられた複数の植毛穴に平線を打ち込んだり熱で融着させる方法等によって植設固定することにより形成されるものである。また、歯ブラシのタフトは、一般に円形或いは四角形の横断面形状を備えており、歯間部の刷掃効率や歯間部への到達感の向上、或いは刷掃時の柔らかい感触等、種々の機能が効果的に発揮されるように、タフトの大きさやブリッスルの先端部の形状等に様々な工夫がなされている。
【０００３】
ブリッスルの先端部を先細りの形状とすることによって、歯間部の刷掃効率や歯間部への到達感を向上できることが知られているが、このような歯ブラシによれば、ブリッスルの先端部が先細りとなっているので歯面に対しては汚れ除去効果が却って低下すると共に、その外観形状が一般の歯ブラシとほとんど変わらないため、歯間部の刷掃効率や歯間部への到達感を向上させるイメージを歯ブラシの外観形状から想起させることが困難だった。
【０００４】
本発明は、歯面に対する汚れ除去効果を低下させることなく、歯間部の刷掃効率や歯間部への到達感を向上させることができると共に、外観形状によって刷掃効率や到達感を向上させるイメージを容易に想起させことのできる歯ブラシを提供することを目的とする。
【０００５】
【課題を解決するための手段】
本発明は、複数本のブリッスルからなるタフトが植毛台に複数植設された歯ブラシにおいて、植毛台の植毛面の周縁部分に植毛されるタフトが、鋭角部を有する横断面形状を備え、該鋭角部を外側に向けて植毛されている歯ブラシを提供することにより、上記目的を達成したものである。
【０００６】
上記記載において、鋭角部を有する横断面形状とは、タフトをこれの長手方向と垂直な面で切断した際の断面である横断面形状が、例えば三日月形、星形、鋸刃形、正三角形等の、交角が９０度未満の角部を少なくとも一箇所に備えているような横断面形状を意味する。また、鋭角部を外側に向けて植毛するとは、植毛台の植毛面の周縁部分において鋭角部の尖った部分を外側にして配置することにより、当該周縁部分に植毛されたタフトの外側を連ねた側面が、鋭角部に植毛されたブリッスルを凸部とする凹凸面となるように植毛することを意味する。
【０００７】
そして、本発明の歯ブラシによれば、植毛台の植毛面の周縁部分に植毛されるタフトが、鋭角部を有する横断面形状を備え、且つ鋭角部を外側に向けて植毛されているので、当該周縁部分に植毛されたタフトの外側を連ねた側面が、鋭角部に植毛されたブリッスルを凸部とする凹凸面となっており、当該側面を歯に接触させて歯ブラシによる刷掃を行う際に、鋭角部の尖った部分に植毛されたブリッスルが歯間部に深く入り込み易くなることによって、歯間部の刷掃効率や歯間部への到達感を向上させることが可能になる。また、本発明の歯ブラシは、前記周縁部分に植毛されたタフトの外側を連ねた側面が、尖った鋭角部に植毛されたブリッスルを凸部とする凹凸面となった特異な外観形状を有しており、当該尖った部分に植毛されたブリッスル群の横断面が鋭角に突出する植毛形態によって、歯ブラシの使用者に刷掃効率や到達感を向上させるイメージを容易に想起させることが可能になる。さらに、本発明の歯ブラシによれば、鋭角部を有する横断面形状のタフトを鋭角部を外側に向けて植毛することによって歯間部の刷掃効率や歯間部への到達感を向上させるので、特にブリッスルの先端部を先細りの形状にすることや、細いタフトを植毛する必要がなく、したがって歯面に対する汚れ除去効率を低下させることがない。
【０００８】
【発明の実施の形態】
以下本発明をその好ましい実施形態について説明する。本実施形態の歯ブラシ１０は、図１に示すように、把持部（図示せず）と植毛台１４とこれらを連結する首部１５とからなる歯ブラシ本体の植毛台１４に、ブリッスル１１を複数本束ねて構成されるタフト（ブリッスル束）１２ａ，１２ｂを複数植毛してなるものである。
【０００９】
そして、本実施形態の歯ブラシ１０によれば、図２にも示すように、植毛台１４の植毛面の周縁部分に植毛される周縁タフト１２ａが、鋭角部１７を有する三日月形の断面形状を備え、鋭角部１７を外側に向けた状態で植毛台１４に植毛されている。
【００１０】
また、本実施形態によれば、植毛台１４の植毛面の両側部及び先端部における周縁部分に植毛されるタフトの全てが、鋭角部１７を有する三日月形の断面形状の周縁タフト１２ａとなっている。
【００１１】
歯ブラシ本体は、例えばポリプロピレン、ＡＢＳ樹脂等の合成樹脂からなり、植毛台１４の植毛面には、タフト１２ａ，１２ｂが植毛される合計２６箇所の植毛穴１６ａ，１６ｂが形成されている。すなわち、植毛台１４の植毛面の周縁部分には、両側部に各々６カ所、先端部に２カ所の合計１４カ所に、三日月形の断面形状の周縁植毛穴１６ａが形成されており、これらの周縁植毛穴１６ａには、周縁タフト１２ａが各々植毛されている。また、周縁部分の内側の領域には、２列×６カ所の合計１２カ所に、円形の断面形状の内側植毛穴１６ｂが形成されており、これらの内側植毛穴１６ｂには内側タフト１２ｂが各々植毛されている。
【００１２】
周縁植毛穴１６ａは、両端が鋭角部１８となった三日月形の開口形状を備えており、鋭角部１８の先端角部が植毛台１４の植毛面の周縁部分に沿って連設するように、鋭角部１８を植毛台１４の外側に向けるようにして形成されている。また、周縁植毛穴１６ａは、周縁部分に沿った幅ｂが例えば２〜６ｍｍ、好ましくは４ｍｍ程度となるように形成されていると共に、鋭角部１８の先端角部における隣接する周縁植毛穴１６ａ間の間隔ｓが例えば０．１〜１．０ｍｍとなるように形成されている。一方、内側植毛穴１６ｂは直径が例えば０．８〜１．６ｍｍの円形の開口形状を有し、隣接する内側植毛穴１６ｂ間の間隔が例えば１．０〜３．０ｍｍとなるように形成されている。
【００１３】
周縁タフト１２ａを構成するブリッスル１１は、ナイロン等の合成樹脂からなる例えば０．１〜０．３ｍｍの太さを有するフィラメント材であって、これを例えば数本〜数十本束ねることによって周縁タフト１２ａが形成される。周縁タフト１２ａは、例えば平線植毛や融着植毛によって周縁植毛穴１６ａに９．０〜１３．０ｍｍ程度の毛丈で植設され、周縁植毛穴１６ａの開口形状と略同様の、鋭角部１７を外側に向けて配置した三日月形の横断面形状を備えることになる。周縁タフト１２ａが三日月形の横断面形状を備えることにより、周縁タフト１２ａの外側を連ねた側面が、鋭角部１７に植毛された複数のブリッスル１１を凸部とする凹凸面となるように周縁タフト１２ａが植毛されることになる。
【００１４】
内側タフト１２ｂを構成するブリッスル１１もまた、ナイロン等の合成樹脂からなる例えば０．１〜０．３ｍｍの太さを有するフィラメント材であって、これを例えば数本〜数十本束ねることによって内側タフト１２ｂが形成される。内側タフト１２ｂは、例えば平線植毛や融着植毛によって内側植毛穴１６ｂに植毛され、直径が例えば０．８〜１．２ｍｍの円形の断面形状となっていると共に、略９．０〜１２．０ｍｍ程度の毛丈で植設されることになる。
【００１５】
そして、本実施形態の歯ブラシ１０によれば、歯面に対する汚れ除去効果を低下させることなく、歯間部の刷掃効率や歯間部への到達感を向上させることができると共に、外観形状によって刷掃効率や到達感を向上させるイメージを容易に想起させことができる。すなわち、本実施形態の歯ブラシ１０によれば、植毛台１４の植毛面の周縁部分に植毛される周縁タフト１２ａが、三日月形の横断面形状を備え、且つ鋭角部１７を外側に向けて植毛されているので、周縁タフト１２ａの外側を連ねた側面が、鋭角部１７に植毛されたブリッスル１１を凸部とする凹凸面となっており、当該側面を歯に接触させて歯ブラシ１０による刷掃を行う際に、鋭角部１７の尖った部分に植毛されたブリッスル１１が歯間部に深く入り込み易くなることによって、歯間部の刷掃効率や歯間部への到達感を向上させることが可能になる。
【００１６】
また、本実施形態の歯ブラシ１０は、周縁タフト１２ａの外側を連ねた側面が、外側に向けて尖った鋭角部１７に植毛されたブリッスル１１を凸部とする凹凸面となった図１に示すような特異な外観形状を有しており、尖った部分に植毛されたブリッスル１１群の横断面が鋭角に突出する植毛形態によって、歯ブラシ１０の使用者に刷掃効率や到達感を向上させるイメージを容易に想起させことが可能になる。
【００１７】
さらに、本実施形態の歯ブラシ１０によれば、三日月形の横断面形状の周縁タフト１２ａを鋭角部１７を外側に向けて植毛することによって、ブリッスル１１の先端部を先細りの形状にしたりタフト１２ａを細くすることなく歯間部の刷掃効率や歯間部への到達感を向上させることができるので、歯面に対する汚れ除去効率を低下させることがない。
【００１８】
なお、本発明は、上記実施形態に限定されることなく種々の変更が可能である。例えば、鋭角部を有するタフトの横断面形状は、三日月形の他、例えば図３（ａ）〜（ｅ）に示すように、星形、鋸刃形、正三角形等、交角が９０度未満の角部を少なくとも一箇所に備える種々の横断面形状を採用することができる。また植毛台の周縁部分に植毛されるタフトの全てを鋭角部を有する横断面形状のタフトとする必要は必ずしもなく、その一部のみを鋭角部を有する横断面形状のタフトとしても良いが、周縁部分に植毛されるタフトの５０％以上を鋭角部を有する横断面形状のタフトとすることが好ましく、これによって上述の作用効果が確実に奏されることになる。さらに、鋭角部を有する横断面形状のタフトは、歯を刷掃する際の主要部となる植毛台の植毛面の少なくとも側部の周縁部分に植毛されていることが好ましい。
【００１９】
【実施例】
以下、実施例１〜６及び比較例１，２により、本発明の歯ブラシをさらに詳細に説明する。
【００２０】
〔実施例１〜６〕
鋭角部を有する周縁タフト２０ａと、直径が１．０ｍｍの円形断面を有する円形タフト２０ｂとを図４（ａ）に示すように植毛台１４に配置した歯ブラシを実施例１の歯ブラシとした。鋭角部を有する周縁タフト２１ａと、直径が１．０ｍｍの円形断面を有する円形タフト２１ｂとを図４（ｂ）に示すよう植毛台１４に配置した歯ブラシを実施例２の歯ブラシとした。図４（ｂ）に示す実施例２の歯ブラシにおいて、周縁タフト２１ａの先端部分を図４（ｆ）に示すように山切りカットしたものを実施例３の歯ブラシとした。鋭角部を有する周縁タフト２２ａと、直径が１．０ｍｍの円形断面を有する円形タフト２２ｂとを図４（ｃ）に示すように植毛台１４に配置した歯ブラシを実施例４の歯ブラシとした。鋭角部を有する周縁タフト２３ａと、直径１．０ｍｍの円形断面を有する円形タフト２３ｂとを図４（ｄ）に示すように植毛台１４に配置した歯ブラシを実施例５の歯ブラシとした。鋭角部を有する周縁タフト２４ａと、直径が１．０ｍｍの円形断面を有する円形タフト２４ｂとを図４（ｅ）に示すように植毛台１４に配置した歯ブラシを実施例６の歯ブラシとした。なお、実施例１〜６の各歯ブラシにおいて、歯ブラシ本体やブリッスルとしては上記実施形態のものと同様のものを用い、また各タフトは１０．５ｍｍ程度の毛丈で植毛台１４に植設した。
【００２１】
実施例１〜６の各歯ブラシについて、後述する方法によって歯間到達率、歯間到達感、及び歯間到達感のイメージを評価した。評価の結果を表１に示す。
【００２２】
〔比較例１，２〕
直径が１．０ｍｍの円形断面を有する円形タフト２５を図５に示すように植毛台１４に配置すると共に、各円形タフトを構成するブリッスルの毛先部分をラウンド形状としたのもを比較例１の歯ブラシとした。また直径が１．０ｍｍの円形断面を有する円形タフト２５を図５に示すように植毛台１４に配置すると共に、各円形タフトを構成するブリッスルの毛先部分を先細り形状としたのもを比較例２の歯ブラシとした。なお、比較例１，２の各歯ブラシにおいて、歯ブラシ本体やブリッスルとしては上記実施形態のものと同様のものを用い、また各タフトは１０．５ｍｍ程度の毛丈で植毛台１４に植設した。比較例１，２の各歯ブラシについて、後述する方法によって歯間到達率、歯間到達感、及び歯間到達感のイメージを評価した。評価の結果を表１に示す。
【００２３】
【表１】
2004041403.tif 000003
【００２４】
〔歯間到達率の評価〕
図６に示すように、Ｒ５の曲面同士を向き合わせたアルミブロックによる歯間モデル３０を作成した。作成した歯間モデル３０に対して、ブラッシングマシーンを用いて実施例１〜６の歯ブラシ、及び比較例１，２の歯ブラシの各々による刷掃を行ない、歯間モデル３０の隙間の部分にブリッスルの毛先が何処まで届いたかを測定した。刷掃条件は、荷重３００ｇ、刷掃回数１２０回、刷掃速度１２０ｒｐｍ、振幅３ｃｍとした。また、歯間モデル３０の隙間の部分に毛先が届いたか否かを明確にするために、歯間モデル３０の表面に圧力を感知する専門紙を張ってブラッシングを行った。ブラッシングした後、ブリッスルの毛先が到達した部分が発色するので、Ｒの始点から着色の終点までの距離を「到達長さ」として測定する。
【００２５】
歯間到達率は、Ｒ５の歯間モデル３０のＲの始まりから終わりまでの距離を測定して「Ｒの全長」とし、測定した「到達長さ」を「Ｒの全長」で除した値の百分率、すなわち（到達長さ／Ｒの全長）×１００（％）によって求める。
【００２６】
〔歯間到達感〕
１０人のパネラーに実施例１〜６、及び比較例１，２の各歯ブラシを各々実際に使用してもらい、聞き取り調査によって歯間への到達感を評価した。評価基準は、「歯間が磨けた感じがする。」と答えたパネラーが、１０人中８人以上の場合を「◎」、６〜７人の場合を「○」、４〜５人の場合を「△」、３人以下の場合を「×」とした。
【００２７】
〔歯間到達のイメージ〕
１０人のパネラーに実施例１〜６、及び比較例１，２の各歯ブラシの使用時における外観形状を観察してもらい、聞き取り調査によって、これらの外観形状から想起される歯間到達のイメージを評価した。評価基準は、「歯間に入る感じがする。」と答えたパネラーが、１０人中８人以上の場合を「◎」、６〜７人の場合を「○」、４〜５人の場合を「△」、３人以下の場合を「×」とした。
【００２８】
表１に示す評価結果から、本発明に係る実施例１〜６の歯ブラシによれば、歯間到達率、歯間到達感、及び歯間到達のイメージのいずれについても良好な結果が得られることが判明する。
【００２９】
【発明の効果】
本発明の歯ブラシによれば、歯面に対する汚れ除去効果を低下させることなく、歯間部の刷掃効率や歯間部への到達感を向上させることができると共に、外観形状によって刷掃効率や到達感を向上させるイメージを容易に想起させことができる。
【図面の簡単な説明】
【図１】本発明の第１実施形態に係る歯ブラシの要部を示す斜視図である。
【図２】本発明の第１実施形態に係る歯ブラシの要部を示す平面図である。
【図３】（ａ）〜（ｅ）は、鋭角部を有するタフトの断面形状を例示する平面図である。
【図４】（ａ）〜（ｆ）は、実施例１〜６の歯ブラシにおけるタフトの配置を説明する平面図である。
【図５】比較例１，２の歯ブラシにおけるタフトの配置を説明する平面図である。
【図６】歯間到達率を評価する方法の説明図である。
【符号の説明】
１０　歯ブラシ
１１　ブリッスル
１２ａ　周縁タフト
１２ｂ　内側タフト
１４　植毛台
１５　首部
１６ａ　周縁植毛穴
１６ｂ　内側植毛穴
１７　周縁タフトの鋭角部
１８　周縁植毛穴の鋭角部
【図１】
2004041403.tif 000004
【図２】
2004041403.tif 000005
【図３】
2004041403.tif 000006
【図４】
2004041403.tif 000007
【図５】
2004041403.tif 000008
【図６】
2004041403.tif 000009